(57)【要約】【課題】ユーザが自分の居場所がある区画の室内環境を変化させる機器のリモコンを容易にかつ確実に確認できるようにする。【解決手段】制御装置１は、建屋内の空間を２以上に分割した区画の室内環境を変化させる機器を制御するリモコンと通信可能である。制御装置１のＩＤ入力部１１は、ユーザを識別するユーザＩＤを示すユーザＩＤ情報を取得する。情報取得部１２は、ユーザＩＤ情報に対応するユーザの居場所がある区画を示す情報を含むユーザ情報と、ユーザの居場所がある区画を示す情報に対応する機器を制御するリモートコントローラを示す情報を含む機器情報とを記憶部１３から取得する。通知情報生成部１４は、情報取得部１２が取得した情報に基づいて、ユーザの居場所がある区画の空調を行う室内機を制御するリモコンを通知する通知情報を生成する。通知情報出力部１５は、通知情報生成部１４が生成した通知情報を出力する。【選択図】図２
2017145983.tif 000002
【特許請求の範囲】
【請求項１】
建屋内の空間を２以上に分割した区画の室内環境を変化させる機器を制御するリモートコントローラと通信可能な制御装置であって、
ユーザを識別するユーザ識別情報を取得する識別情報取得部と、
前記ユーザ識別情報に対応する前記ユーザの居場所がある前記区画を示す情報を含むユーザ情報、および、前記ユーザの居場所がある前記区画を示す情報に対応する前記区画の室内環境を変化させる前記機器を制御する前記リモートコントローラを示す情報を含む機器情報を取得する情報取得部と、
前記情報取得部が取得した前記ユーザ情報および前記機器情報に基づいて、前記ユーザの居場所がある前記区画の室内環境を変化させる前記機器を制御する前記リモートコントローラを通知する通知情報を生成する通知情報生成部と、
前記通知情報生成部が生成した前記通知情報を出力する通知情報出力部と、
を備える制御装置。
【請求項２】
前記通知情報出力部は、画像表示、文字表示、音声出力およびランプの点消灯の少なくともいずれかで前記通知情報を出力する、
請求項１に記載の制御装置。
【請求項３】
前記ユーザが使用するユーザ端末とさらに通信可能であって、
前記通知情報出力部は、前記通知情報を前記ユーザ端末に送信する、
請求項１または２に記載の制御装置。
【請求項４】
前記リモートコントローラが、画像表示、文字表示、音声出力およびランプの点消灯の少なくともいずれかで前記通知情報を出力する機能を備える場合に、
前記通知情報出力部は、前記ユーザの居場所がある前記区画の室内環境を変化させる前記機器を制御する前記リモートコントローラに前記通知情報を送信する、
請求項１から３のいずれか１項に記載の制御装置。
【請求項５】
制御装置と通信可能な、建屋内の空間を２以上に分割した区画の室内環境を変化させる機器を制御するリモートコントローラであって、
前記制御装置からユーザの居場所がある前記区画の室内環境を変化させる前記機器を制御する前記リモートコントローラを通知する通知情報を受信し、
画像表示、文字表示、音声出力およびランプの点消灯の少なくともいずれかで、前記通知情報を決められた時間出力する、
リモートコントローラ。
【請求項６】
請求項１から４のいずれか１項に記載の制御装置と、建屋内の空間を２以上に分割した区画の室内環境を変化させる２つ以上の機器と、前記制御装置と通信可能な、前記機器を制御する２つ以上のリモートコントローラと、
を備える制御システム。
【請求項７】
建屋内の空間を２以上に分割した区画の室内環境を変化させる機器を制御するリモートコントローラと通信可能なコンピュータを、
ユーザを識別するユーザ識別情報に対応する前記ユーザの居場所がある前記区画を示す情報を含むユーザ情報、および、前記ユーザの居場所がある前記区画を示す情報に対応する前記区画の室内環境を変化させる前記機器を制御する前記リモートコントローラを示す情報を含む機器情報を取得する情報取得部、
前記情報取得部が取得した前記ユーザ情報および前記機器情報に基づいて、前記ユーザの居場所がある前記区画の室内環境を変化させる前記機器を制御する前記リモートコントローラを通知する通知情報を生成する通知情報生成部、ならびに、
前記通知情報生成部が生成した前記通知情報を出力する通知情報出力部、
として機能させる制御プログラム。
【発明の詳細な説明】
【技術分野】
【０００１】
本発明は、ユーザによるリモートコントローラの特定を補助する制御装置、リモートコントローラ、制御システム、および制御プログラムに関する。
【背景技術】
【０００２】
オフィスビルやマンションのような建物の空調設備において、１台の室外機に対して、建屋内の空間を２以上に分割した区画の空調を行う複数台の室内機が接続され、複数のリモートコントローラ（以下、リモコンと略す）がそれぞれの室内機を制御する場合がある。このような場合、これらの複数のリモコンが同一の区画に設置されることがある。このような状況では、区画内のユーザが自らの居場所の空調設定を変更したい場合、ユーザは自らの居場所がある区画の空調を行う室内機を制御するリモコンを特定する必要がある。
【０００３】
室内機とリモコンの対応関係を把握する方法としては、例えば、互いに接続された室内機とリモコンに同一の番号をシールや印字で表示したり、リモコンに室内機の詳細な設置位置をシールや印字で表示したり、室内機とリモコンの対応表を作成したりする方法がある。
【０００４】
特許文献１には、リモコンの操作に連動して、操作されたリモコンに対応する室内機に設けられた表示部に自身がリモコンの操作対象である旨を表示し、室内機とリモコンの接続関係をユーザに通知する空気調和機が開示されている。
【先行技術文献】
【特許文献】
【０００５】
【特許文献１】特開２００９−７９７８６号公報
【発明の概要】
【発明が解決しようとする課題】
【０００６】
しかしながら、シールや印字での表示ははがれや劣化等で情報が失われるという課題があった。対応表は目視で接続先を探す必要があり、確認に時間がかかるという課題があった。また、特許文献１に記載の空気調和機では、リモコンを操作しない限り室内機の表示部にユーザへの通知が出力されないため、リモコンが複数設置されている場合に任意の室内機を制御するリモコンを特定するには、目標とする室内機に表示が現れるまでリモコンを１つ１つ操作しなければならないという課題があった。
【０００７】
本発明は、上述のような事情に鑑みてなされたもので、ユーザが自分の居場所がある区画の室内環境を変化させる機器のリモコンを容易にかつ確実に確認できるようにすることを目的とする。
【課題を解決するための手段】
【０００８】
上記目的を達成するため、本発明に係る制御装置は、建屋内の空間を２以上に分割した区画の室内環境を変化させる機器を制御するリモートコントローラと通信可能な制御装置である。制御装置は、識別情報取得部と、情報取得部と、通知情報生成部と、通知情報出力部とを備える。識別情報取得部は、ユーザを識別するユーザ識別情報を取得する。情報取得部は、ユーザ識別情報に対応するユーザの居場所がある区画を示す情報を含むユーザ情報、および、ユーザの居場所がある区画を示す情報に対応する区画の室内環境を変化させる機器を制御するリモートコントローラを示す情報を含む機器情報を取得する。通知情報生成部は、情報取得部が取得したユーザ情報および機器情報に基づいて、ユーザの居場所がある区画の室内環境を変化させる機器を制御するリモートコントローラを通知する通知情報を生成する。通知情報出力部は、通知情報生成部が生成した通知情報を出力する。
【発明の効果】
【０００９】
本発明によれば、制御装置が、ユーザを識別するユーザ識別情報に基づいて、ユーザの居場所がある区画の室内環境を変化させる機器を特定し、特定した機器を制御するリモコンを通知することで、ユーザは自分の居場所がある区画の室内環境を変化させる機器のリモコンを容易にかつ確実に確認できるようになる。
【図面の簡単な説明】
【００１０】
【図１】本発明の実施の形態１に係る制御システムの構成例を示す図である。
【図２】実施の形態１に係る制御装置の機能構成例を示す図である。
【図３】実施の形態１に係るユーザ情報の一例を示す図である。
【図４】実施の形態１に係る機器情報の一例を示す図である。
【図５】実施の形態１に係る制御装置の動作の一例を示すフローチャートである。
【図６】実施の形態１に係る通知画面の一例を示す図である。
【図７】本発明の実施の形態２に係る制御システムの構成例を示す図である。
【図８】実施の形態２に係る制御装置の機能構成例を示す図である。
【図９】実施の形態２に係るユーザ情報の一例を示す図である。
【図１０】本発明の実施の形態３に係る制御システムの構成例を示す図である。
【図１１】実施の形態３に係る制御装置およびリモコンの動作の一例を示すフローチャートである。
【図１２】実施の形態３に係るユーザの動作およびリモコンの変化の様子を表す図である。
【図１３】本発明の実施の形態４に係る制御システムの構成例を示す図である。
【図１４】実施の形態４に係るカードリーダ、制御装置およびリモコンの動作の一例を示すフローチャートである。
【図１５】本発明の実施の形態に係る制御装置のハードウェア構成の一例を示す図である。
【発明を実施するための形態】
【００１１】
以下に、本発明を実施するための形態について図面を参照して詳細に説明する。なお、図中同一または相当する部分には同じ符号を付す。
【００１２】
（実施の形態１）
図１は、本発明の実施の形態１に係る制御システムの構成例を示す図である。制御システム１００は、制御装置１と、室内機２００ａ、室内機２００ｂ、室内機２００ｃおよび室内機２００ｄ（以下、総称して室内機２００という）と、室外機５００と、リモコン３００ａ、リモコン３００ｂおよびリモコン３００ｃ（以下、総称してリモコン３００という）とで構成される。制御システム１００の構成要素は、室外機５００を除いて建屋２０内に設置されている。建屋２０内には、空調が行われる空間２１がある。空間２１は、例えば執務室、会議室、応接室、実験室、加工場、組立場、作業場、居住空間などである。空間２１は、区画２１０ａ、区画２１０ｂおよび区画２１０ｃ（以下、総称して区画２１０という）に分かれている。
【００１３】
室内機２００ａは主として区画２１０ａの空調を行う。室内機２００ｂは主として区画２１０ｂの空調を行う。室内機２００ｃおよび室内機２００ｄは主として区画２１０ｃの空調を行う。図１では、空間２１内に３つの区画２１０がある例を示したが、空間２１内の区画２１０は３つに限らず、２つ以上であればよい。また、２つ以上の区画２１０は、必ずしも壁で区切られた部屋でなくともよく、例えば、パーティションで区切られた空間でもよいし、ひとつながりの空間を仮想的に区切った空間でもよい。また、区画２１０が２つ以上の部屋を含んでもよい。例えば、スタジオ室（実演室）とモニタ室のように一体で空調を制御する場合は、それらを合わせて１つの区画２１０とみなしてもよい。図１では、建屋２０に１つの空間２１がある例を示したが、建屋２０には２以上の空間２１があってもよい。
【００１４】
室内機２００は、室外機５００に接続している。リモコン３００は、室内機２００および制御装置１と通信可能に接続する。リモコン３００ａは、室内機２００ａを制御する。リモコン３００ｂは、室内機２００ｂを制御する。リモコン３００ｃは、室内機２００ｃおよび室内機２００ｄを制御する。図１では、４つの室内機２００がある例を示したが、室内機２００は４つに限らず、２つ以上であればよい。図１では、３つのリモコン３００がある例を示したが、リモコン３００は３つに限らず、２つ以上であればよい。制御装置１に接続される各機器にはアドレスが割り振られており、制御装置１はアドレスで指定した機器と通信を行う。
【００１５】
制御装置１、リモコン３００ａ、リモコン３００ｂおよびリモコン３００ｃは、区画２１０ｃに設置されている。図１の例では、これらの機器はすべて区画２１０ｃの壁に並べて取り付けられている。各機器間の通信規格は、例えばＥｔｈｅｒｎｅｔ（登録商標）やＥＩＡ−４２２、ＥＩＡ−４８５である。各機器間の配線がすべて同じものである必要はなく、例えば一部にＬＡＮ（Local Area Network）ケーブルを用いてもよい。また、各機器間の接続の一部または全部をＷｉ−Ｆｉ（登録商標）やＢｌｕｅｔｏｏｔｈ（登録商標）のような無線接続に置換えてもよい。制御装置１は、モニタ１０１とカードリーダ１０２とを備える。モニタ１０１は制御装置１が出力する情報を画面表示する。カードリーダ１０２は、ユーザを識別するユーザＩＤが記録されたＩＤカードを読み取る。
【００１６】
図２は、実施の形態１に係る制御装置の機能構成例を示す図である。制御装置１は、ＩＤ入力部１１と、情報取得部１２と、記憶部１３と、通知情報生成部１４と、通知情報出力部１５とを備える。ＩＤ入力部１１は、カードリーダ１０２に接続する通信インターフェースで構成され、カードリーダ１０２が読み取ったユーザＩＤを示すユーザＩＤ情報を取得する。ユーザＩＤ情報は本発明におけるユーザ識別情報であって、ＩＤ入力部１１は、本発明における識別情報取得部である。ユーザ識別情報は、ユーザＩＤ情報に限らずユーザの氏名や生年月日など、ユーザを識別可能な情報であればなんでもよい。ＩＤ入力部１１は、取得したユーザＩＤ情報を情報取得部１２に送る。
【００１７】
記憶部１３は、ハードディスク、スタティックＲＡＭ（Random Access Memory）またはフラッシュメモリなどの不揮発メモリで構成され、ユーザＩＤ情報と、ユーザの居場所がある区画２１０を示す情報とを含むユーザ情報を記憶する。ユーザの居場所とは、例えばオフィス内のユーザのデスクがある場所や、ユーザが作業を行う場所、ユーザの自室など、ユーザに対してあらかじめ決められた場所である。フリーレイアウトのオフィスようにユーザの居場所が日によって変わるような場合は、ユーザが選択した場所をユーザの居場所として特定する。ユーザの居場所を特定する方法は、例えば、ユーザがユーザ端末を接続したポートで特定してもよいし、ユーザが選択した場所に設けられたカードリーダにユーザＩＤが記録されたＩＤカードをかざすことで制御装置１に通知してもよいし、ユーザがユーザ端末から選択した場所を示す情報を制御装置１に送信してもよい。また、記憶部１３は、室内機２００が空調を行う区画２１０を示す情報と、区画２１０の空調を行う室内機２００を制御するリモコン３００を示す情報とを含む機器情報を記憶する。ここで、記憶部１３が記憶するユーザ情報および機器情報について、図３および図４を用いて説明する。
【００１８】
図３は、実施の形態１に係るユーザ情報の一例を示す図である。図３の例では、ユーザ情報は、ユーザの氏名を示す「氏名」と、ユーザのユーザＩＤを示す「ユーザＩＤ」と、ユーザの居場所がある区画２１０を示す「区画」との項目で構成される。「山田一郎」、「田中二郎」、「中山三郎」の３名のユーザのユーザＩＤはそれぞれ、「００１」、「００２」、「００３」である。また、「山田一郎」、「田中二郎」、「中山三郎」の３名のユーザの居場所はそれぞれ、区画２１０ａ、区画２１０ｂおよび区画２１０ｃに含まれる。ユーザ情報はこれに限らず、少なくともユーザＩＤを示す情報と、ユーザの居場所がある区画２１０を示す情報とを含んでいればよい。また、ユーザ情報は、ユーザの部署名や、職種、業務内容など、図３には示されていない情報を含んでもよい。
【００１９】
図４は、実施の形態１に係る機器情報の一例を示す図である。図４の例では、機器情報は、室内機２００を示す「室内機」と、室内機２００が空調を行う区画２１０を示す「区画」と、区画２１０の空調を行う室内機２００を制御するリモコン３００を示す「リモコン」との項目で構成される。室内機２００ａおよび室内機２００ｂはそれぞれ、区画２１０ａおよび区画２１０ｂの空調を行い、室内機２００ｃおよび室内機２００ｄは、区画２１０ｃの空調を行う。室内機２００ａおよび室内機２００ｂはそれぞれ、リモコン３００ａおよびリモコン３００ｂに制御され、室内機２００ｃおよび室内機２００ｄは、リモコン３００ｃに制御される。なお、「リモコン」は、室内機２００を制御するリモコン３００のアドレスであってもよい。機器情報はこれに限らず、少なくとも室内機２００が空調を行う区画２１０を示す情報と、区画２１０の空調を行う室内機２００を制御するリモコン３００を示す情報とを含んでいればよい。また、機器情報は、室内機２００の機種名や、型番など、図４には示されていない情報を含んでもよい。
【００２０】
図２の情報取得部１２は、ＣＰＵ（Central Processing Unit）、ＲＯＭ（Read Only Memory）およびＲＡＭなどで構成され、ＩＤ入力部１１から受け取ったユーザＩＤ情報に対応するユーザ情報を記憶部１３から読み出す。情報取得部１２は、さらに読み出したユーザ情報に含まれるユーザの居場所がある区画２１０を示す情報に対応する機器情報を記憶部１３から読み出す。情報取得部１２は、読み出したユーザ情報および機器情報を通知情報生成部１４に送る。通知情報生成部１４は、ＣＰＵ、ＲＯＭおよびＲＡＭなどで構成され、情報取得部１２から受け取ったユーザ情報および機器情報に基づいて、ユーザの居場所がある区画２１０の空調を行う室内機２００を制御するリモコン３００（以下、対象リモコンという）を通知する通知情報を生成する。通知情報生成部１４は、生成した通知情報を通知情報出力部１５に送る。通知情報出力部１５は、モニタ１０１に接続する通信インターフェースで構成され、通知情報生成部１４から受け取った通知情報をモニタ１０１に出力し、通知情報の画像表示や文字表示を行う。
【００２１】
制御装置１がスピーカのような音声出力装置を備える場合には、通知情報出力部１５は通知情報を音声出力してもよい。あるいは、制御装置１が、ユーザが視認できる位置に通知用ランプを備えている場合には通知情報をランプの点消灯で出力してもよい。通知用ランプは例えばＬＥＤである。ランプの点消灯による通知情報の出力は、例えば、制御装置１は壁に並べられたリモコン３００と同じ配置で複数の通知用ランプを備え、対象リモコンに相当する位置の通知用ランプを点灯または消灯させることで対象リモコンをユーザに通知する。ランプの点消灯は、ランプの点滅であってもよい。ここで、図５を用いて制御装置１が行う処理について説明する。
【００２２】
図５は、実施の形態１に係る制御装置の動作の一例を示すフローチャートである。以下の処理は、制御装置１の起動中に、建屋２０内のユーザが制御装置１の設置場所まで移動し、カードリーダ１０２にＩＤカードをかざすと開始する。制御装置１のＩＤ入力部１１は、カードリーダ１０２が読み取ったユーザＩＤを示すユーザＩＤ情報を取得する（ステップＳ１１）。ＩＤ入力部１１は、取得したユーザＩＤ情報を情報取得部１２に送る。情報取得部１２は、ＩＤ入力部１１から受け取ったユーザＩＤ情報に対応するユーザ情報を記憶部１３から読み出す（ステップＳ１２）。
【００２３】
図３の例を参照すると、例えば、ＩＤ入力部１１から受け取ったユーザＩＤ情報が示すユーザＩＤが００１であった場合、情報取得部１２は、「氏名」山田一郎、「ユーザＩＤ」００１、「区画」２１０ａのユーザ情報を読み出す。情報取得部１２は、さらに読み出したユーザ情報に含まれるユーザの居場所がある区画２１０を示す情報に対応する機器情報を記憶部１３から読み出す（ステップＳ１３）。図４の例を参照すると、情報取得部１２は、「室内機」２００ａ、「区画」２１０ａ、「リモコン」３００ａの機器情報を読み出す。
【００２４】
情報取得部１２は、読み出したユーザ情報および機器情報を通知情報生成部１４に送る。通知情報生成部１４は、情報取得部１２から受け取ったユーザ情報および機器情報に基づいて、対象リモコンを通知する通知情報を生成し（ステップＳ１４）、通知情報出力部１５に送る。通知情報は、文字情報であってもよいし、画像情報であってもよいし、それらの組み合わせであってもよい。例えば、リモコンの製造番号を画像データとしてあらかじめ記憶しておいて表示してもよいし、リモコンの配置を示す画像データをあらかじめ記憶しておいて表示してもよい。
【００２５】
図３および図４の例の場合、通知情報生成部１４は、情報取得部１２から受け取った「氏名」山田一郎、「ユーザＩＤ」００１、「区画」２１０ａのユーザ情報と、「室内機」２００ａ、「区画」２１０ａ、「リモコン」３００ａの機器情報とに基づいて、例えば「山田一郎さんの席の空調制御用リモコンは３００ａです」といったメッセージを表示する通知画面を生成し、通知情報として通知情報出力部１５に送る。通知情報出力部１５は、通知情報生成部１４から受け取った通知情報をモニタ１０１に出力し（ステップＳ１５）、処理を終了する。ここで、モニタ１０１に出力され、画面表示される通知画面について図６を用いて説明する。
【００２６】
図６は、実施の形態１に係る通知画面の一例を示す図である。通知情報生成部１４は、情報取得部１２から「氏名」山田一郎、「ユーザＩＤ」００１、「区画」２１０ａのユーザ情報と、「室内機」２００ａ、「区画」２１０ａ、「リモコン」３００ａの機器情報とを受け取ると、「山田一郎さんのリモコンは」というメッセージと、リモコン３００ａの位置を示す画像とを表示する図６に示すような通知画面を生成する。図６の例では、リモコン３００の画像を実際に壁に並べられた順に配置通りに表示させ、リモコン３００ａの画像を破線で囲み、矢印で示すことで、リモコン３００ａの位置を示している。
【００２７】
以上説明したように実施の形態１の制御装置１によれば、制御装置１がユーザＩＤ情報に基づいて、ユーザの居場所がある区画２１０の空調を行う室内機２００を特定し、対象リモコンをユーザに通知することで、ユーザは対象リモコンを容易にかつ確実に確認できるようになる。また、制御装置１がユーザＩＤ情報を取得するたびに、ユーザの対象リモコンを通知する通知情報を生成して出力しているので、ユーザ情報や機器情報が変更される場合にも対応できる。
【００２８】
（実施の形態２）
図７は、本発明の実施の形態２に係る制御システムの構成例を示す図である。制御システム２００は、制御システム１００の構成要素に加え、サーバ６００、スイッチングハブ７００、ユーザ端末８００ａ、ユーザ端末８００ｂおよびユーザ端末８００ｃ（以下、総称してユーザ端末８００という）を備える。サーバ６００およびスイッチングハブ７００は、建屋２０内の空間２２内に設置される。制御装置１、サーバ６００およびユーザ端末８００はそれぞれ、スイッチングハブ７００にＬＡＮケーブルで物理的に接続され、同一ネットワーク上に接続される。
【００２９】
サーバ６００は、ハードディスク、スタティックＲＡＭまたはフラッシュメモリなどの不揮発メモリで構成される記憶部を備え、ユーザ情報および機器情報を記憶する。つまり、制御システム１００では制御装置１の記憶部１３が記憶していたユーザ情報および機器情報を、制御システム２００ではサーバ６００の記憶部が記憶する。ユーザ端末８００は、ユーザが使用する端末であって、少なくとも制御装置１から受信した通知情報を出力する機能を備える。その他の構成は、制御システム１００と同様である。図１と同様の構成については同一の符号を付しており、同一の符号の構成に関する説明は省略する。
【００３０】
図８は、実施の形態２に係る制御装置の機能構成例を示す図である。実施の形態２の制御装置１は、実施の形態１の制御装置１の構成要素から記憶部１３を除いた構成である。情報取得部１２は、例えばＣＰＵ、ＲＯＭおよびＲＡＭ、ネットワークに接続する通信インターフェースなどで構成され、ＩＤ入力部１１から受け取ったユーザＩＤ情報に対応するユーザ情報をサーバ６００から取得する。サーバ６００の記憶部が記憶するユーザ情報は、実施の形態１のユーザ情報に加え、ユーザが使用するユーザ端末８００を示す情報を含む。ここで、サーバ６００の記憶部が記憶するユーザ情報について、図９を用いて説明する。
【００３１】
図９は、実施の形態２に係るユーザ情報の一例を示す図である。図９の例では、ユーザ情報は、図３に示す「氏名」、「ユーザＩＤ」、「区画」の項目に加え、ユーザが使用するユーザ端末８００を示す「ユーザ端末」の項目を有する。「ユーザ端末」の項目は、「山田一郎」、「田中二郎」、「中山三郎」の３名のユーザがそれぞれ、ユーザ端末８００ａ、ユーザ端末８００ｂ、ユーザ端末８００ｃを使用することを示している。なお、ユーザが使用するユーザ端末８００を示す情報は、サーバ６００の記憶部が記憶するユーザ情報に含まず、制御装置１が記憶してもよい。
【００３２】
図８の制御装置１の情報取得部１２は、さらに取得したユーザ情報に含まれるユーザの居場所がある区画２１０を示す情報に対応する機器情報をサーバ６００から取得する。情報取得部１２は、取得したユーザ情報および機器情報を通知情報生成部１４に送る。通知情報生成部１４は、情報取得部１２から受け取ったユーザ情報および機器情報に基づいて、対象リモコンを通知する通知情報を生成する。通知情報出力部１５は、モニタ１０１に接続する通信インターフェースと、ネットワークに接続する通信インターフェースとで構成され、通知情報生成部１４から受け取った通知情報を、モニタ１０１に画面表示し、ユーザが使用するユーザ端末８００に送信する。なお、ユーザ端末８００がユーザの所持する携帯端末であって、通知情報出力部１５が通知情報をユーザが使用するユーザ端末８００にのみ送信する構成の場合は、制御装置１はモニタ１０１を備えなくてもよい。
【００３３】
図８には図示しないが、制御装置１は、通知情報を生成するための文字情報や画像情報を記憶する記憶部を備える。また、情報取得部１２は、サーバ６００から取得したユーザ情報および機器情報を一時記憶する。制御装置１の機能構成は図８の例に限らず、プッシュスイッチやタッチパネルといった入力装置で構成される入力部を備え、サーバ６００から取得したユーザ情報および機器情報を、ユーザが入力部から書き換え可能に構成してもよい。この場合、制御装置１の情報取得部１２はサーバ６００から取得したユーザ情報および機器情報を通知情報出力部１５に送り、モニタ１０１に画面表示させてもよい。これにより、ユーザはユーザ情報および機器情報を確認しながら書き換えることができる。通知情報出力部１５は、書き換えられたユーザ情報および機器情報をサーバ６００に送信する。これにより、サーバ６００の記憶部のユーザ情報および機器情報を更新することができる。
【００３４】
その他の機能構成は、実施の形態１の制御装置１と同様である。図２と同様の構成については同一の符号を付しており、同一の符号の構成に関する説明は省略する。なお、ユーザは、ユーザ端末８００からサーバ６００にアクセスし、サーバ６００の記憶部のユーザ情報および機器情報を更新してもよい。ここで、図５を用いて実施の形態２の制御装置１が行う処理について説明する。説明のため、サーバ６００の記憶部には図９に示したユーザ情報および図４に示した機器情報が記憶されているものとする。
【００３５】
以下の処理は、制御装置１の起動中に、建屋２０内のユーザが制御装置１の設置場所まで移動し、カードリーダ１０２にＩＤカードをかざすと開始する。ここでは具体的に、建屋２０内で、氏名が「田中二郎」であるユーザが、自分のＩＤが記録されているＩＤカードをカードリーダ１０２にかざした場合について説明する。制御装置１のＩＤ入力部１１は、カードリーダ１０２が読み取ったユーザＩＤ００２を示すユーザＩＤ情報を取得する（ステップＳ１１）。ＩＤ入力部１１は、取得したユーザＩＤ情報を情報取得部１２に送る。情報取得部１２は、ＩＤ入力部１１から受け取ったユーザＩＤ情報が示すユーザＩＤ００２に対応する「氏名」田中二郎、「ユーザＩＤ」００２、「区画」２１０ｂのユーザ情報を読み出す（ステップＳ１２）。情報取得部１２は、さらに「室内機」２００ｂ、「区画」２１０ｂ、「リモコン」３００ｂの機器情報を読み出す（ステップＳ１３）。情報取得部１２は、読み出したユーザ情報および機器情報を通知情報生成部１４に送る。
【００３６】
通知情報生成部１４は、情報取得部１２から受け取った「氏名」田中二郎、「ユーザＩＤ」００２、「区画」２１０ｂのユーザ情報と、「室内機」２００ｂ、「区画」２１０ｂ、「リモコン」３００ｂの機器情報とに基づいて、例えば「田中二郎さんの席の空調制御用リモコンは３００ｂです」といったメッセージを表示する通知画面を生成し（ステップＳ１４）、通知情報として通知情報出力部１５に送る。通知情報出力部１５は、通知情報生成部１４から受け取った通知情報を、氏名が「田中二郎」であるユーザが使用するユーザ端末８００ｂに送信し（ステップＳ１５）、処理を終了する。
【００３７】
以上説明したように実施の形態２の制御装置１によれば、制御装置１がユーザＩＤ情報に基づいて、ユーザの居場所がある区画２１０の空調を行う室内機２００を特定し、対象リモコンをユーザに通知することで、ユーザは対象リモコンを容易にかつ確実に確認できるようになる。また、制御装置１がユーザＩＤ情報を取得するたびに、ユーザの対象リモコンを通知する通知情報を生成して出力しているので、ユーザ情報や機器情報が変更される場合にも対応できる。さらに、制御装置１がユーザ情報および機器情報を保持せず、サーバ６００から取得するので、制御装置１を小型化できる。制御装置１が入力部を備える構成の場合、ユーザは制御装置１からサーバ６００に記憶されたユーザ情報および機器情報を更新することができる。ユーザ端末８００がサーバ６００と同じネットワークに接続されているので、ユーザは、ユーザ端末８００からサーバ６００に記憶されたユーザ情報および機器情報を更新することも可能である。
【００３８】
（実施の形態３）
図１０は、本発明の実施の形態３に係る制御システムの構成例を示す図である。制御システム３００は、制御システム２００の構成要素と同様であるが、制御装置１が建屋２０内の空間２２内に設置される。実施の形態３の制御装置１はモニタ１０１を備えるが、カードリーダ１０２は制御装置１に接続する外部機器であって、区画２１０ｃに設置される。制御装置１とカードリーダ１０２との接続は、有線接続でもよいし、無線接続でもよい。また、リモコン３００はユーザが視認できる位置に通知用ランプを備えている。通知用ランプは例えばＬＥＤである。その他の構成は、制御システム２００と同様である。図７と同様の構成については同一の符号を付しており、同一の符号の構成に関する説明は省略する。実施の形態３の制御装置１の機能構成は、図８と同様である。
【００３９】
実施の形態３の通知情報は、対象リモコンの通知用ランプを点滅させる点滅制御信号を含む。通知情報出力部１５は、モニタ１０１に接続する通信インターフェースと、ネットワークに接続する通信インターフェースとで構成され、通知情報生成部１４から受け取った通知情報に含まれる対象リモコンを通知する通知画面をモニタ１０１に画面表示し、通知情報に含まれる点滅制御信号をリモコン３００に送信する。なお、通知情報が点滅制御信号のみである場合には、制御装置１がモニタ１０１を備えなくてもよい。ここで、図１１を用いて実施の形態３の制御装置１が行う処理について説明する。説明のため、サーバ６００の記憶部には図９に示したユーザ情報および図４に示した機器情報が記憶されているものとする。
【００４０】
図１１は、実施の形態３に係る制御装置およびリモコンの動作の一例を示すフローチャートである。以下の処理は、制御装置１およびリモコン３００の起動中に、建屋２０内のユーザがカードリーダ１０２の設置場所まで移動し、カードリーダ１０２にＩＤカードをかざすと開始する。図１１の例では具体的に、建屋２０内で、氏名が「中山三郎」であるユーザが、自分のＩＤが記録されているＩＤカードをカードリーダ１０２にかざした場合について説明する。また、通知情報は点滅制御信号のみであって、制御装置１はモニタ１０１を備えないものとする。
【００４１】
制御装置１のＩＤ入力部１１は、カードリーダ１０２が読み取ったユーザＩＤ００３を示すユーザＩＤ情報を取得する（ステップＳ２１）。ＩＤ入力部１１は、取得したユーザＩＤ情報を情報取得部１２に送る。情報取得部１２は、ＩＤ入力部１１から受け取ったユーザＩＤ情報が示すユーザＩＤ００３に対応する「氏名」中山三郎、「ユーザＩＤ」００３、「区画」２１０ｃのユーザ情報を読み出す（ステップＳ２２）。情報取得部１２は、さらに「室内機」２００ｃ、「区画」２１０ｃ、「リモコン」３００ｃの機器情報を読み出す（ステップＳ２３）。情報取得部１２は、読み出した機器情報を通知情報生成部１４に送る。
【００４２】
通知情報生成部１４は、情報取得部１２から受け取った「室内機」２００ｃ、「区画」２１０ｃ、「リモコン」３００ｃの機器情報に基づいて、対象リモコンであるリモコン３００ｃの通知用ランプを点滅させる点滅制御信号を生成し（ステップＳ２４）、通知情報として通知情報出力部１５に送る。通知情報出力部１５は、通知情報生成部１４から受け取った通知情報（点滅制御信号）を、リモコン３００ｃに送信し（ステップＳ２５）、処理を終了する。リモコン３００ｃは、制御装置１から通知情報（点滅制御信号）を受信すると（ステップＳ３１）、通知用ランプを点滅させる（ステップＳ３２）。決められた時間が経過していない場合（ステップＳ３３；ＮＯ）、リモコン３００ｃは、ステップＳ３２およびステップＳ３３を繰り返し、通知用ランプの点滅を継続する。決められた時間が経過した場合（ステップＳ３３；ＹＥＳ）、リモコン３００ｃは処理を終了する。なお、通知用ランプを点滅させる決められた時間は点滅制御信号で指定してもよいし、リモコン３００に内蔵されたプログラムで規定されているものであってもよい。上記の処理が実行される際のユーザの動作およびリモコン３００ｃの変化の様子を、図１２を用いて説明する。
【００４３】
図１２は、実施の形態３に係るユーザの動作およびリモコンの変化の様子を表す図である。図１２（ａ）は、氏名が「中山三郎」であるユーザが、自分のＩＤが記録されているＩＤカードをカードリーダ１０２にかざした様子を表している。図１２（ａ）の例では、カードリーダ１０２に完了通知ランプを備え、カードリーダ１０２がＩＤカードを読み取り完了すると完了通知ランプが点灯するように構成されている。完了通知ランプは例えばＬＥＤである。制御装置１のＩＤ入力部１１は、カードリーダ１０２が読み取ったユーザＩＤ００３を示すユーザＩＤ情報を取得する。図１２（ｂ）は、氏名が「中山三郎」であるユーザが、自分のＩＤが記録されているＩＤカードをカードリーダ１０２にかざした際のリモコン３００の様子を表している。リモコン３００のうち、氏名が「中山三郎」であるユーザの対象リモコンであるリモコン３００ｃは、制御装置１から通知情報（点滅制御信号）を受信し、通知用ランプを点滅させている。
【００４４】
通知用ランプは点滅させてもよいし、消灯状態から点灯させてもよいし、点灯状態から消灯させてもよい。また、リモコン３００は、通知用ランプを備える構成としたが、リモコン３００は、液晶ディスプレイのような文字や画像を表示する表示装置や、ブザーやスピーカなどの音声出力装置、またはＢｌｕｅｔｏｏｔｈやＷｉ−Ｆｉや特定小電力無線などの無線通信用装置を備え、これらによって通知情報を出力する構成にしてもよい。また、対象リモコンに点滅制御信号を送信する構成としたが、対象リモコンが制御する室内機２００に点滅制御信号を送信し、室内機２００が対象リモコンに点滅制御信号を送信する構成にしてもよい。
【００４５】
以上説明したように実施の形態３の制御装置１によれば、制御装置１がユーザＩＤ情報に基づいて、ユーザの居場所がある区画２１０の空調を行う室内機２００を特定し、対象リモコンをユーザに通知することで、ユーザは対象リモコンを容易にかつ確実に確認できるようになる。また、制御装置１がユーザＩＤ情報を取得するたびに、ユーザの対象リモコンを通知する通知情報を生成して出力しているので、ユーザ情報や機器情報が変更される場合にも対応できる。さらに、対象リモコンの通知用ランプを点滅させることで視認性が向上し、ユーザはより迅速に対象リモコンを確認できるようになる。
【００４６】
（実施の形態４）
図１３は、本発明の実施の形態４に係る制御システムの構成例を示す図である。制御システム４００は、制御システム３００の構成要素と同様であるが、カードリーダ１０２が建屋２０の入り口２３に設置され、カードリーダ１０２と制御装置１とは、スイッチングハブ７００にＬＡＮケーブルで物理的に接続され、同一ネットワーク上に接続される。つまり、実施の形態４では、空調設備（室内機２００、リモコン３００および室外機５００）以外の各機器間の通信インターフェースはすべてＬＡＮに集約されている。カードリーダ１０２は、ユーザがかざしたＩＤカードに記録されたユーザＩＤを読み取り、読み取ったユーザＩＤを示すユーザＩＤ情報を制御装置１に送信する。その他の構成は、制御システム３００と同様である。図１０と同様の構成については同一の符号を付しており、同一の符号の構成に関する説明は省略する。
【００４７】
実施の形態４の制御装置１の機能構成は、図８と同様である。なお、実施の形態３と同様に、通知情報が対象リモコンの通知用ランプを点滅させる点滅制御信号のみである場合には、制御装置１がモニタ１０１を備えなくてもよい。ここで、図１４を用いて実施の形態４の制御装置１が行う処理について説明する。説明のため、サーバ６００の記憶部には図９に示したユーザ情報および図４に示した機器情報が記憶されているものとする。
【００４８】
図１４は、実施の形態４に係るカードリーダ、制御装置およびリモコンの動作の一例を示すフローチャートである。以下の処理は、カードリーダ１０２、制御装置１およびリモコン３００の起動中に、ユーザが建屋２０の入り口２３に設置されたカードリーダ１０２にＩＤカードをかざすと開始する。図１４の例では具体的に、氏名が「山田一郎」であるユーザが入り口２３で自分のＩＤが記録されているＩＤカードをカードリーダ１０２にかざした後であって通知用ランプを点滅させる決められた時間が経過する前に、氏名が「中山三郎」であるユーザが入り口２３で自分のＩＤが記録されているＩＤカードをカードリーダ１０２にかざした場合について説明する。また、通知情報は点滅制御信号のみであって、制御装置１はモニタ１０１を備えないものとする。
【００４９】
氏名が「山田一郎」であるユーザが入り口２３で自分のＩＤが記録されているＩＤカードをカードリーダ１０２にかざしたことにより、リモコン３００ａの通知用ランプが点滅している（ステップＳ６１）。カードリーダ１０２は、氏名が「中山三郎」であるユーザがかざしたＩＤカードに記録されたユーザＩＤ００３を読み取り（ステップＳ４１）、ユーザＩＤ００３を示すユーザＩＤ情報を制御装置１に送信し（ステップＳ４２）、処理を終了する。制御装置１のＩＤ入力部１１は、カードリーダ１０２からユーザＩＤ情報を受信する（ステップＳ５１）。ＩＤ入力部１１は、受信したユーザＩＤ情報を情報取得部１２に送る。情報取得部１２は、前回ＩＤ入力部１１からユーザＩＤ情報を受け取ってから決められた時間が経過しているか否かを判定する（ステップＳ５２）。
【００５０】
氏名が「山田一郎」であるユーザのユーザＩＤ００１を示すユーザＩＤ情報を受け取ってから決められた時間が経過していないので（ステップＳ５２；ＮＯ）、情報取得部１２ユーザＩＤ００１を示すユーザＩＤ情報を受け取ってから決められた時間が経過していないことを示す情報を通知情報生成部１４に送る。通知情報生成部１４は、情報取得部１２からユーザＩＤ００１を示すユーザＩＤ情報を受け取ってから決められた時間が経過していないことを示す情報を受け取ると、通知用ランプの点滅を終了させる終了制御信号を生成し（ステップＳ５３）、通知情報出力部１５に送る。通知情報出力部１５は、通知情報生成部１４から受け取った終了制御信号をリモコン３００ａに送信する（ステップＳ５４）。リモコン３００ａは、制御装置１から終了制御信号を受信すると（ステップＳ６２）、通知用ランプの点滅を終了し（ステップＳ６３）、処理を終了する。なお、前回ユーザＩＤ情報を受け取ってから決められた時間が経過している場合には（ステップＳ５２；ＹＥＳ）、処理はステップＳ５５に移行する。
【００５１】
情報取得部１２は、ＩＤ入力部１１から受け取ったユーザＩＤ情報が示すユーザＩＤ００３に対応する「氏名」中山三郎、「ユーザＩＤ」００３、「区画」２１０ｃのユーザ情報を読み出す（ステップＳ５５）。情報取得部１２は、さらに「室内機」２００ｃ、「区画」２１０ｃ、「リモコン」３００ｃの機器情報を読み出す（ステップＳ５６）。情報取得部１２は、読み出した機器情報を通知情報生成部１４に送る。通知情報生成部１４は、情報取得部１２から受け取った「室内機」２００ｃ、「区画」２１０ｃ、「リモコン」３００ｃの機器情報に基づいて、対象リモコンであるリモコン３００ｃの通知用ランプを点滅させる点滅制御信号を生成し（ステップＳ５７）、通知情報として通知情報出力部１５に送る。通知情報出力部１５は、通知情報生成部１４から受け取った通知情報（点滅制御信号）を、リモコン３００ｃに送信し（ステップＳ５８）、処理を終了する。リモコン３００ｃは、制御装置１から通知情報（点滅制御信号）を受信すると（ステップＳ７１）、通知用ランプを点滅させる（ステップＳ７２）。決められた時間が経過していない場合（ステップＳ７３；ＮＯ）、リモコン３００ｃは、ステップＳ７２およびステップＳ７３を繰り返し、通知用ランプの点滅を継続する。決められた時間が経過した場合（ステップＳ７３；ＹＥＳ）、リモコン３００ｃは処理を終了する。
【００５２】
リモコン３００ｃがステップＳ７２およびステップＳ７３を繰り返している間に制御装置１のＩＤ入力部１１がカードリーダ１０２から他のユーザユーザＩＤ情報を受信した場合に終了制御信号が制御装置１からリモコン３００ｃに送信され、リモコン３００ｃは決められた時間の経過を待たずに通知用ランプの点滅を終了する。図１４の例では、制御装置１は、前回ユーザＩＤ情報を取得してから決められた時間が経過しているか否かを判定する構成としたが、制御装置１は、決められた時間が経過しているか否かに関わらず、ユーザＩＤ情報を取得すると、前回通知情報を送信したリモコン３００に終了制御信号を送信する構成にしてもよい。さらに、カードリーダ１０２はスイッチングハブ７００を介して制御装置１と接続される構成としたが、例えばカードリーダ１０２によりユーザの入退場を管理する入退場管理システムを設け、制御装置１が入退場管理システムからユーザのＩＤを受信する構成としてもよい。
【００５３】
特に、多くのユーザが頻繁にＩＤカードをかざして入り口２３を通行する環境においては、次のＩＤカードがかざされたタイミングで前のリモコン３００の通知用ランプの点滅処理を中止した場合に、点滅処理を中止されたリモコン３００を利用するユーザが対象リモコンを特定できない可能性がある。これを防ぐため、リモコン３００の通知用ランプの点灯・点滅に際して、ユーザごとに点灯・点滅させる通知用ランプの色を変化させたり、点灯・点滅パターンを変化させたりしてもよい。この場合、ユーザごとの通知用ランプの色や点灯・点滅パターンをあらかじめ一意に割り当てておいてもよいし、識別可能な通知用ランプの色や点灯・点滅パターンをユーザごとに割り当てることが困難な場合は、例えば、カードリーダ１０２にもリモコン３００の通知用ランプと同様のランプ（例えば完了通知ランプ）を設け、ＩＤカードをかざすたびにカードリーダ１０２のランプを異なる色や点灯・点滅パターンで制御し、リモコン３００の通知用ランプもカードリーダ１０２のランプと同じ色や点灯・点滅パターンで制御するようにしてもよい。
【００５４】
以上説明したように実施の形態４の制御装置１によれば、制御装置１がユーザＩＤ情報に基づいて、ユーザの居場所がある区画２１０の空調を行う室内機２００を特定し、対象リモコンをユーザに通知することで、ユーザは対象リモコンを容易にかつ確実に確認できるようになる。また、制御装置１がユーザＩＤ情報を取得するたびに、ユーザの対象リモコンを通知する通知情報を生成して出力しているので、ユーザ情報や機器情報が変更される場合にも対応できる。さらに、対象リモコンの通知用ランプを点滅させることで視認性が向上し、ユーザはより迅速に対象リモコンを確認できるようになる。
【００５５】
ユーザがカードリーダ１０２にＩＤカードをかざしたときに点滅中の通知用ランプがある場合には、点滅を終了させることで、同時に異なるリモコン３００の通知用ランプが点滅することにより、どちらのユーザの対象リモコンか判別できなくなるのを防ぐことができる。また、居場所が異なる複数のユーザが建屋２０に入る際に通行する入り口２３にカードリーダ１０２を配置することで、ユーザがカードリーダ１０２にＩＤカードをかざして対象リモコンを特定するためだけに移動する必要が無くなる。さらに、リモコン３００の通知用ランプを点滅させる決められた時間をカードリーダ１０２の設置位置からリモコン３００の設置位置までの移動にかかる時間よりも十分長い時間に設定すれば、カードリーダ１０２の設置位置とリモコン３００の設置位置が離れている場合でも、ユーザがカードリーダ１０２の設置位置からリモコン３００の設置位置まで移動している間に通知用ランプによる通知が終了してしまうことを防止できる。
【００５６】
なお、本発明は、上記の実施の形態に限定されるものではない。本発明の主旨を逸脱しない範囲内で、当業者が想到しうる変形を本実施の形態に施したものも、本発明に含まれる。つまり、本発明は、その発明の範囲内において、実施の形態を適宜、変形、省略することが可能である。
【００５７】
上記の実施の形態では、制御装置１のＩＤ入力部１１は、カードリーダ１０２を用いてユーザＩＤ情報を取得するが、ユーザＩＤ情報の取得方法はこれに限らず、ＩＤ入力部１１は、例えば、プッシュスイッチやタッチパネルといったユーザインターフェースで構成され、ユーザＩＤの入力を受け付け、ユーザが入力したユーザＩＤを示すユーザＩＤ情報を取得してもよい。
【００５８】
上記の実施の形態では、制御装置１が室内機２００を制御する対象リモコンをユーザに通知するが、これに限らず、制御装置１がユーザに通知する対象リモコンは、照明装置や換気装置、空気清浄機など、建屋２０内の空間２１の室内環境を変化させる機器のリモコンであれば何でもよい。
【００５９】
図１５は、本発明の実施の形態に係る制御装置のハードウェア構成の一例を示す図である。制御装置１は、ハードウェア構成としてプロセッサ８１、メモリ８２、インターフェース８３を備える。制御装置１の情報取得部１２および通知情報生成部１４の各機能は、プロセッサ８１がメモリ８２に記憶された制御プログラムを実行することにより実現される。メモリ８２は、例えばRAM（Random Access Memory）やFlash ROM（Read Only Memory）、それらを組み合わせたものであり、記憶部１３は、メモリ８２上に構成される。
【００６０】
インターフェース８３は、各機器と接続する通信Ｉ／Ｆと、ユーザからの情報の入力を受け付けるユーザインターフェース（以下、ユーザＩ／Ｆと略す）で構成される。通信Ｉ／Ｆは、ＩＤ入力部１１および通知情報出力部１５として機能する。インターフェース８３は必要に応じて他の種類のインターフェースを含んでもよい。例えば、インターフェース８３は、ユーザからの情報の入力を受け付けるユーザＩ／Ｆを含んでもよい。ユーザＩ／Ｆは、例えば、プッシュスイッチやタッチパネルといった入力装置であり、制御装置１が入力部を備える構成では、入力部として機能する。図１５では、プロセッサ８１およびメモリ８２をそれぞれ１つで構成する例を示しているが、複数のプロセッサ８１および複数のメモリ８２が連携して各機能を実行してもよい。
【００６１】
また、上述の機能を、ＯＳ（Operating System）とアプリケーションとの分担、またはＯＳとアプリケーションとの協同により実現する場合等には、ＯＳ以外の部分のみを媒体に格納してもよい。さらに、搬送波に各プログラムを重畳し、通信ネットワークを介して配信することも可能である。例えば、通信ネットワーク上の掲示板（BBS、Bulletin  Board  System）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【符号の説明】
【００６２】
１  制御装置、１１  ＩＤ入力部、１２  情報取得部、１３  記憶部、１４  通知情報生成部、１５  通知情報出力部、２０  建屋、２１，２２  空間、２３  入り口、８１  プロセッサ、８２  メモリ、８３  インターフェース、１００，２００，３００，４００  制御システム、１０１  モニタ、１０２  カードリーダ、２００，２００ａ，２００ｂ，２００ｃ，２００ｄ  室内機、２１０，２１０ａ，２１０ｂ，２１０ｃ  区画、３００，３００ａ，３００ｂ，３００ｃ  リモコン、５００  室外機、６００  サーバ、７００  スイッチングハブ、８００，８００ａ，８００ｂ，８００ｃ  ユーザ端末。
【図１】
2017145983.tif 000003
【図２】
2017145983.tif 000004
【図３】
2017145983.tif 000005
【図４】
2017145983.tif 000006
【図５】
2017145983.tif 000007
【図６】
2017145983.tif 000008
【図７】
2017145983.tif 000009
【図８】
2017145983.tif 000010
【図９】
2017145983.tif 000011
【図１０】
2017145983.tif 000012
【図１１】
2017145983.tif 000013
【図１２】
2017145983.tif 000014
【図１３】
2017145983.tif 000015
【図１４】
2017145983.tif 000016
【図１５】
2017145983.tif 000017